(57)【要約】      （修正有）【課題】模擬銃において、複数個の弾丸を発射した際に、発射された全ての弾丸に同等の回転を付与し、弾道がほぼ一定となるようにする。【解決手段】球形の弾丸Ｂを発射する過程において、弾道修正部３５にて、上記弾丸に回転を付与するようにした模擬銃における弾道修正装置Ｈとして、弾丸Ｂを発射するバレル１４後端部に設けられた、複数個の弾丸の装填が可能な装弾部と、複数個の弾丸が装弾部から発射される過程にて接触する弾道修正部３５として、上記装弾部の上部に内方へ僅かに突き出させて設けた突部３６−１、−２とを有して構成され、上記突部は弾丸移動方向にて高さが異なることを特徴とする。【選択図】図２
2014202432.tif 000002
【特許請求の範囲】
【請求項１】
球形の弾丸を発射する過程において、弾道修正部にて、上記弾丸に回転を付与するようにした模擬銃における弾道修正装置であって、
弾丸を発射するバレル後端部に設けられた、複数個の弾丸の装填が可能な装弾部と、
複数個の弾丸が装弾部から発射される過程にて接触する弾道修正部として、上記装弾部の上部に内方へ僅かに突き出させて設けた突部とを有し、
上記突部は弾丸移動方向にて高さが異なることを特徴とする
模擬銃における弾道修正装置。
【請求項２】
弾丸を発射する１本のバレルに複数個の弾丸の装填が可能な装弾部を設置し、複数個の弾丸が個別に接触する弾力性のある素材から成る複数個の突部を上記装弾部の内側にバレル方向に沿って並設した構成を有する請求項１記載の模擬銃における弾道修正装置。
【請求項３】
装弾部の内側にバレル方向に並設された複数個の突部は、バレル方向に実質的に一列に配置されており、それらの突き出し高さは、バレル基部側の突部よりも銃口側の突部の方が大きく設定されている請求項２記載の模擬銃における弾道修正装置。
【請求項４】
弾道修正部は前後複数個の突部を有するとともに、上記複数個の突部の突き出し高さを変えるために傾斜突部から成る調節子を有しており、上記調節子を前後方向又は上下方向へ移動させることにより、上記突部の装弾部にある弾丸に対する接触力を調節可能に設けられている請求項２又は３記載の模擬銃における弾道修正装置。
【請求項５】
複数個の弾丸の上部を覆うことができる長さと、弾丸の曲面と適合する曲率とを有する円筒の一部として構成され、バレル後端部に配置される装弾部上部と、
バレル後端部の装弾部に配置された複数個の弾丸が発射過程において接触するように、内方へ僅かに突き出させて上記装弾部上部の内面に設けた突部とから成る弾道修正部と、
前記装弾部上部と後部にて一体に形成され、供給される弾丸が通過する開口を有する短円筒状の弾丸導入部とを具備して構成され、
バレル後端部に気密に接続して使用される、弾力性材料より成る
模擬銃における弾道修正装置に用いる弾道修正部材。
【請求項６】
装弾部上部と弾丸導入部とは側面から見てＬ字型に形成されるとともに、バレル後端部が上記Ｌ字型と組みあって円筒状の装弾部を形成する相補的形状に形成されており、かつ、装弾部上部と弾丸導入部とがバレル後端部と組みあったときに外周固定部により接続状態を維持するように構成されている
請求項５記載の模擬銃における弾道修正装置に用いる弾道修正部材。
【請求項７】
弾道修正部として、装弾部の上部に内方へ僅かに突き出させた突部を設け、突部はバレル方向と直交する方向に伸びた突条から成るものとし、弾道修正部の弾力性を得るために、突条の外面に凹部を形成した
請求項５記載の模擬銃における弾道修正装置に用いる弾道修正部材。
【請求項８】
球形の弾丸を発射する過程において、弾道修正部にて、上記弾丸に回転を付与するため、弾丸を発射するバレル後端部に設けられた、複数個の弾丸の装填が可能な装弾部と、
複数個の弾丸が装弾部から発射される過程にて接触する弾道修正部として、上記装弾部の上部に内方へ僅かに突き出させて設けた突部とを有し、
上記突部は弾丸移動方向にて高さが異なる構成を有する弾道修正装置を具備し、
上記弾道修正装置を具備したバレルを複数本束ねることで複数本のバレルから複数個の弾丸を発射し得るように構成された複数弾発射型模擬銃。
【発明の詳細な説明】
【技術分野】
【０００１】
本発明は球形の弾丸を発射する過程において、上記弾丸に回転を付与するようにした、模擬銃における弾道修正装置と弾道修正部材及びそれらを用いる複数弾発射型模擬銃に関するものである。
【背景技術】
【０００２】
圧縮ガスや圧縮空気を圧力源とし、ＢＢ弾と通称される球形の弾丸を発射する銃には、いわゆるホップアップ技術を適用することが行なわれている。上記ホップアップ技術は、球形弾丸に上向きの回転を与えることによって生じる浮力を利用するもので、気体の圧力を増すことなく弾丸の直進性を維持し、射程距離を向上させる等の効果を得ることができる。この技術の開発には本件出願人も長年携わっており、特開平６−３０９１号を初めとして、その成果を逐次特許出願し開示に努めて来た。上記の出願後には、模擬銃における特開平６−２８８６９７号、特開平９−４２８９２号等が他社から提案されている。
【０００３】
一方、複数個の弾丸を発射するものには、例えば、特開平５−９９５９４号があり、その発明は複数個の弾丸をその外径よりも小さい内径のＯリングによって停止し、発射時に外力が加わると弾丸外径よりも拡大して弾丸を通過させる構成を有する。しかし、Ｏリングを弾丸が通過するという構造上、実用化は困難と推測され、また、商品化もされなかった模様である。また、特開２００４−３２４９６２号は、銃身に複数の弾丸を嵌入装着した発射装置付き弾頭の発明を開示しているが、弾頭それ自体に発射機能が備わっており、実際には遊戯銃用の弾丸発射装置に装填して使用される特殊なタイプの銃に属する。
【０００４】
前記のホップアップ技術は、いずれも１発の球形弾丸についてその弾道を修正するもので、複数個の弾丸を同時に発射する銃において、全ての弾丸にホップアップ技術を適用するものは知られていない。その理由として、現在のホップアップ技術は、銃身即ちバレルの後端の弾丸装填位置に弾道修正部材を配置し、その弾道修正部材によって１発の弾丸を停止させるとともに、停止させる構成に原因があると考えられる。即ち、出願人の実験によれば、弾丸を停止させている弾道修正部材を弾丸が通過するときに弾道修正部材は弾性変形するが、次弾が通過するときに、弾性変形が戻り切らないため次弾に十分な回転を付与することができず、複数個の弾丸の弾道が一定しないことが確認されている。
【０００５】
【特許文献１】特開平６−３０９１号
【特許文献２】特開平６−２８８６９７号
【特許文献３】特開平９−４２８９２号
【特許文献４】特開平５−９９５９４号
【特許文献５】特開２００４−３２４９６２号
【発明の開示】
【発明が解決しようとする課題】
【０００６】
本発明は前記の実情に鑑みてなされたもので、その課題は、複数個の弾丸を発射した際に、発射された全ての弾丸に同等の回転を付与し、弾道がほぼ一定となるようにすることである。また、本発明の他の課題は、発射された全ての弾丸に実質的に同等のホップアップ作用を付与し得るようにした模擬銃における弾道修正装置、弾道修正部材及びそれらを用いる複数弾発射型模擬銃を提供することである。
【課題を解決するための手段】
【０００７】
前記の課題を解決するため、本発明は、球形の弾丸を発射する過程において、弾道修正部にて、上記弾丸に回転を付与するようにした模擬銃における弾道修正装置として、弾丸を発射するバレル後端部に設けられた、複数個の弾丸の装填が可能な装弾部を有するものとし、複数個の弾丸が装弾部から発射される過程にて接触する弾道修正部として、上記装弾部の上部に内方へ僅かに突き出させて設けた突部を有し、上記突部は弾丸移動方向にて高さが異なるものとするという手段を講じている。
【０００８】
本発明の弾道修正装置を適用する模擬銃は、ＢＢ弾と通称されるような球形の弾丸を使用することを想定している。また、本発明の装置は、上記弾丸に回転を付与し、弾道を修正する点において、従来の弾道修正装置と軌を一にするものである。しかし、弾丸を発射するバレル後端部に設けられた、複数個の弾丸の装填が可能な装弾部を有し、複数個の弾丸全てにホップアップ技術を適用する構成において新規である。なお、装弾部とは、弾丸装填位置というほどの意味であり、複数個の弾丸はこの位置で発射圧力を受けるまで停止している。
【０００９】
その装弾部に複数個の弾丸が装填された構成において、本発明は、複数個の弾丸が装弾部から発射される過程にて接触する弾道修正部として、上記装弾部の上部に内方へ僅かに突き出させて設けた弾力性のある突部を有するものとする。そして、上記突部は、弾丸移動方向にて高さが異なるものとするという手段を講じている。さらに、上記突部は、複数個の弾丸が何れも接触するという事項と、弾丸移動方向にて高さが異なるという事項を満たす。従って、突部は複数個の弾丸が発射圧力を受けるまで停止させて置く手段をも兼ねている。
【００１０】
本発明の装置では、弾丸を発射する１本のバレルに複数個の弾丸の装填が可能な装弾部を設置し、複数個の弾丸が個別に接触する弾力性のある素材から成る複数個の突部を上記装弾部の内側にバレル方向に沿って並設するという構成を取り得る。この構成は複数個の弾丸が複数個の個別に突起に接触するもので、複数個の弾丸に対する摩擦力又は摩擦力に基づく弾丸の回転数を個別に管理することが可能であり、本発明にとって望ましい態様である。
【００１１】
装弾部の内側にバレル方向に並設された複数個の突部は、バレル方向に実質的に一列に配置されており、それらの突き出し高さは、バレル基部側の突部よりも銃口側の突部の方が大きく設定されているという構成も、本発明にとって望ましいものである。弾丸の発射により弾道修正部材は弾性変形するが、次弾が通過するときに、弾性変形が戻り切らないことの対策として、次弾が受けるべき力をバレル基部側の突部と銃口側の突部との複数回に分けて付与する発想に基づく構成であり、上記弾丸に対する摩擦力又はその回転数の個別管理に有効である。
【００１２】
弾道修正部は前後複数個の突部を有するとともに、上記複数個の突部の突き出し高さを変えるために傾斜突部から成る調節子を有しており、上記調節子を前後方向又は上下方向へ移動させることにより、上記突部の装弾部にある弾丸に対する接触力を調節可能に設けるように構成することも、本発明にとって望ましいものである。なお、調節子を前後方向へ移動させることにより、突部は上下方向へ移動して突部の突き出し高さを変えることになり、従って、弾道修正効果が得られるのであるが、これとは別に、調節子自体を直接上下方向へ移動させても同様の効果を得ることができるのは明らかである。
【００１３】
また、本発明は、複数個の弾丸の上部を覆うことができる長さと、弾丸の曲面と適合する曲率とを有する円筒の一部として構成され、バレル後端部に配置される装弾部上部と、バレル後端部の装弾部に配置された複数個の弾丸が発射過程において接触するように、内方へ僅かに突き出させて上記装弾部上部の内面に設けた突部とから成る弾道修正部と、前記装弾部上部と後部にて一体に形成され、マガジンから供給される弾丸が通過する開口を有する短円筒状の弾丸導入部を具備し、バレル後端部に気密に接続して使用される、弾力性材料より成る模擬銃における弾道修正装置に用いる弾道修正部材を含んでいる。
【００１４】
上記装弾部上部と弾丸導入部とは側面から見てＬ字型に形成され、バレル後端部は上記Ｌ字型と組みあって円筒状の装弾部を形成する相補的形状に形成されており、かつ、装弾部上部と弾丸導入部とがバレル後端部と組みあったときに外周固定部により接続状態を維持するように構成されていることが望まれる。弾道修正部材のＬ字型とバレル後端部のＬ字型が組み合って実質的に円筒状の装弾部（円筒状装弾部の上部に、突部が存在する。）となり、外周固定部によりその状態が維持される。
【００１５】
また、弾道修正部として、装弾部の上部に内方へ僅かに突き出させた突部を設け、突部はバレル方向と直交する方向に伸びた突条から成るものとし、弾道修正部の弾力性を得るために、突条の外面に凹部を形成することも、望ましい態様である。突条の膨らみの外面の位置に凹部を設けて肉厚を削減することができ、必要な弾力性を得ること及びその弾力性を調節することが可能になる。
【００１６】
さらに本発明は、球形の弾丸を発射する過程において、弾道修正部にて、上記弾丸に回転を付与するため、弾丸を発射するバレル後端部に設けられた、複数個の弾丸の装填が可能な装弾部を有し、複数個の弾丸が装弾部から発射される過程にて接触する弾道修正部として、上記装弾部の上部に内方へ僅かに突き出させて設けた突部を有し、上記突部は弾丸移動方向にて高さが異なる構成を有する弾道修正装置を具備し、上記弾道修正装置を具備したバレルを複数本束ねることで複数本のバレルから複数個の弾丸を発射し得るように構成された複数弾発射型模擬銃を含んでいる。１本のバレルから少なくとも２個の弾丸を発射可能とし、そのバレルを２本、３本束ねることで、４発ないし６発の弾丸を一時に発射することが可能になり、かつ、全ての弾丸に同等のホップアップ作用を付与することができる。
【発明の効果】
【００１７】
本発明は以上のように構成され、かつ、作用するものであるから、複数個の弾丸を発射した際に、発射された全ての弾丸に同等の回転を付与し、ほぼ一定の弾道が得られるようになるという効果を奏する。また、本発明によれば、発射された全ての弾丸に実質的に同等のホップアップ作用を付与し得るようにした模擬銃における弾道修正装置と弾道修正部材及びそれらを用いる複数弾発射型模擬銃を提供することができる。
【発明を実施するための最良の形態】
【００１８】
以下、図示の実施形態を参照して本発明をより詳細に説明する。図１は本発明に係る弾道修正装置Ｈを適用した複数弾発射型模擬銃１０を示している。この複数弾発射型模擬銃１０は３銃身を備えたガス銃として図示されており、３本のバレル１４からそれぞれ２個の弾丸Ｂを、従って、計６発同時に発射できるように構成されている。
【００１９】
各図において、１１はガス銃本体、１２はガス源を示している。ガス源１２は、その内方に突出した気化ガス抽出筒１２ａによりガス流路１３に通じており、ガス流路１３は、ガス銃本体１１に設けられ、その末端は複数個のバレル１４に向かって伸びている。ガス流路１３は、弁体１５で開閉される気室１６をその途中に有しており、さらに、下流にバレル１４の後端部に位置する装弾部１４ａの側に隣接して流量調整部１７を有している。なお、気室１６を有する本体１８は、ガス銃本体１１の側に設けられており、また、後述するノズルアセンブリー２４との間には圧縮バネ１９が配置されている。
【００２０】
弁体１５は軸状の部材から成り、気室１６の内部の前後方向に配置され、かつ、前後の孔１６ａ、１６ｂにて貫いており、前端部１５ａは弁体１５の下流Ｄのガス流路１３に達している。また、弁体１５の後端部１５ｂは気室部分１８の後壁から後方へ付き出して、前後方向へ移動可能に装着されている。弁体１５の前端部１５ａと後端部１５ｂにはシール手段１５ｃ、１５ｄが設けられており、シール手段１５ｃ、１５ｄは気室前後の孔壁に接触することによって気室１６を気密に封止した状態とし、かつ、弁体１５の後退方向へバネ１５ｅによって付勢されている。よって、弁体１５が前方移動することで、ガスの流れが前部の孔１６ａを通過し、ガス流路１３の上流Ｕから下流Ｄに流出する構成である。
【００２１】
ガス銃本体１１はトリガー２０を有し、トリガー２０は軸２０ａの回りに回転可能に設けられ、その操作によって、シア２１とストライカー２２を介して、上記弁体１５を開弁するように構成されている。シア２１は軸２１ａ回りに回転可能に設けられ、かつ、トリガー２０に設けた係合部２０ｂと係合する係合相手部２１ｂを有している。また、ストライカー２２は、ガス銃本体１１に設けたガイド軸２３に前後方向へ移動可能に取り付けられているとともに、バネ２３ａによって前方へ付勢されており、その前部にて弁体１５の後端部１５ｂを加圧するように構成されている。トリガー２０とシア２１が係合している間は、シア２１もその一部２１ｃにてストライカー２２の一部２２ｃと係合しており、ストライカー２２は待機位置に置かれる。図１はトリガー２０が引かれてストライカー２２が弁体１５を打撃した瞬間を示している。なお、トリガー２０及びシア２１には戻しバネが設けられている。
【００２２】
ガス流路１３と上記バレル１４の装弾部１４ａとの間には前記の流量調整部１７が設けてあり、流量調整部１７は制御弁装置２５を備えている。この制御弁装置２５は、ガス流路１３に通じる空間２４と、上流側にて上記空間２４に通じるとともに、下流側にて装弾部１４ａに通じるガス噴出路２６と、上記空間側からガス噴出路２６に摺動可能に挿入された制御弁２７とを備えている（図１〜図３参照）。ガス噴出路２６は、装弾部１４ａと同じく３箇所設けられており、制御弁２７はそれぞれの内部に配置された付勢手段２８のコイルばねによって閉弁方向に付勢され、空間２４の上流側の壁面を停止部２４ａ突き当てている。この流量調整部１７を構成する部分は、ガス噴射ノズル１７ａを先端部に有しており、また、ガス銃本体１１に対して前後方向へ移動可能に設けられ、弾丸装填機構の一部を構成している。
【００２３】
制御弁２７はバレル側が開放し、上流側でほぼ閉じた中空の筒型構造を有し、その筒型構造における中間部に、ガスを通過させる通気手段として、側面の開口部２７ａと端面の小開口２７ｂとを有している（図２、図３等参照）。制御弁２７は、前記のとおりガス流路１３の上流方向へ付勢手段２８によって付勢されているが、ガス源１２からのガスが流入しない状態では停止部２４ａに受け止められ、上記開口部２７ａを通じてガスを通過させるとともに上記ガス流によって下流側へ移動可能とされている。従って、弾丸発射に伴って、制御弁２７が上記開口部２７ａの一部までガス噴出路２６に入り込み、バレル内部に流入するガスの流れが制限される状態になっても、少量のガスは小開口２７ｂを通過することができる。
【００２４】
上記ガス銃１０は３銃身型であるから、ガス流路１３は流量調整部１７の空間２４の中心に開口して良い。この空間２４は３箇所のガス噴出路２６を包含する面積を有し、その中心から外方へ均等に配置された３箇所のガス噴出路２６を通って、３本のバレル１４にそれぞれ達している（図１、図２）。従って、この流量調整部１７の空間２４は、ガス流を３個のバレル１４に分流する部分である。一方、球形の弾丸Ｂはガス銃本体１１の下部に装着されている、カートリッジ３０からバレル１４の装弾部１４ａの側に供給される。図示の例において、弾丸Ｂは、カートリッジ３０の弾丸通路２９の先端から、断面形状が三角形或いは三叉状に形成された給弾室３１に導入される（図４参照）。
【００２５】
給弾室３１は銃本体側に設けられ、その内部に弾丸規定部材３２が付勢手段３３によって弾丸通路方向へ付勢された状態で配置されており、弾丸通路２９に進入しようとする弾丸Ｂは、弾丸通路２９へ出入りのため上下方向へ移動可能に設けられた揺動部材３４に当たって停止状態に置かれる。よって、揺動部材３４が弾丸通路２９から下方へ脱した状態にあり、弾丸Ｂが図示していないバネ装置によって押圧された状態では、弾丸Ｂが弾丸通路２９に進入すると、最終的に、揺動部材３４の先端３４ａに押されて左右に振り分けられる。また、弾丸Ｂは揺動部材３４に押さえられるとともに、弾丸規定部材３２の弾丸接触部３２ａの形状により装弾部１４ａに続く給弾室３１に誘導される（図４Ｂ）。この装弾機構には、本出願人の所有に係る特許第３０４５９８４号の複数銃身用装弾装置の発明が適用される。
【００２６】
装弾部１４ａは弾丸Ｂを発射するバレル後端部に配置されており、弾丸Ｂを複数個前後に並べて装填可能な大きさを有している。各弾丸Ｂは前後に一直線上に並ぶので、装弾部１４ａの大きさは複数個、実施形態では２個の弾丸Ｂの長さにほぼ等しい。装弾部１４ａには、複数個の弾丸Ｂが装弾部１４ａから発射される過程にて接触する弾道修正部３５が設けられる。弾道修正部３５として必要な最小限度の要件は、上記装弾部１４ａの上部に内方へ僅かに突き出させて設けた突部３６を有すること、上記突部３６は弾丸移動方向にて高さが異なることの２点である。
【００２７】
突部３６として様々な形態を採用し得るのは前述したとおり当然のことである。また、突部３６の高さを異ならせて設ける方法としては、突部３６を複数個設けてそれぞれに弾丸を配置することと、１個の傾斜状の突部３６の前後異なる位置に弾丸Ｂを配置することの二つの方法を取り得る。弾道修正部３５をバレル後端部に設けるについても、幾つかの方法が考えられるが、本発明では弾道修正部材３７を用いる方法を採用するものとして、まず、この方法を初めに説明する。
【００２８】
上記弾道修正部材３７は、複数個の弾丸Ｂの上部を覆うことができる長さと、弾丸Ｂの曲面と適合する曲率とを有する円筒の一部として構成され、バレル後端部に配置される装弾部上部３８と、供給される弾丸Ｂが通過する開口３９ａを有する短円筒状の弾丸導入部３９とを具備しており、前記装弾部上部３８と後部にて一体に形成されている。上記装弾部上部３８の内面に、バレル後端部の装弾部１４ａに配置された複数個の弾丸Ｂが発射過程において接触するように、内方へ僅かに突き出させて設けた前後２個の突部３６−１、３６−２とから成る前記の弾道修正部３５が設けられている(図５ないし図８参照)。
【００２９】
図示の実施形態における弾道修正部材３７は、弾力性材料より成り、バレル後端部に気密に接続して使用されるもので、そのために、装弾部上部３８と弾丸導入部３９とは側面から見てＬ字型に形成されるとともに、上記Ｌ字型と相補的形状に形成されているバレル後端部とが組みあって円筒状の装弾部１４ａを形成するように構成されている。弾丸Ｂの安定のために、弾道修正部材３７のほぼＬ字型よりもバレル１４の相補的形状の割合の方が大きく（図８、特にＢ参照）、少なくとも弾丸Ｂの直径の半分以上が収まるように設定されている。
【００３０】
弾道修正部材３７は、バレル後端部と組みあったときに外周固定部４０により接続状態を維持し、その内部に実質的に円筒状の装弾部１４ａが形成される。上記外周固定部４０は剛性材料から成り、弾力性材料より成る弾道修正部材３７の外形を一定にして突部３６以外は変形しないように図っており、従って、また、上記接続部分は気密的状態に保たれる。そして、弾丸Ｂが通過する開口３９ａには、それぞれガス噴射ノズル１７ａが出入可能に配置されており、前記給弾室３１に供給された弾丸Ｂを押し出して、順に装弾室１４ａに装填することができる。
【００３１】
弾道修正部３５を構成する突部３６（３６−１、３６−２）は、装弾部１４ａの上部に内方へ僅かに突き出させて設け、かつまた、バレル方向と直交する方向に伸びた横長の突条から成るものとする(図６、図８Ｃ参照)。突部３６が円周を横切る弦のような横長の突条であることにより、弾丸Ｄを確実に突部３６に接触させることができる。上記突部３６は、そのままの形態では肉厚過ぎるため、突条の外面に凹部４１（４１−１、４１−２）を形成し、弾道修正部３５として必要な弾力性を得ている(図７、図８Ａ、Ｂ参照)。この弾力性は、弾丸Ｄに付与する摩擦力、従って、回転数に比例的に作用するので、上記肉厚又は弾力性素材の材質を変更しホップアップ作用を調節する一つの手段となる。
【００３２】
図９に詳細に示したように、前方の突部３６−１は高さｈ１を有し、後方の突部３６−２はより低い高さｈ２を有しており（ｈ１＞ｈ２）、従って、球形の弾丸Ｂに対して、前方の突部３６−１の方が後方の突部３６−２よりも大きな接触圧力を与える。また、前方の突部３６−１はその頂部の長さｌ１が後方の突部３６−２の長さｌ２より長く、その幅ｂ１は後方突部３６−２の幅ｂ２よりも小さく、前方の突部３６−１の方が後方の突部３６−２よりも弾性変形し易い設定になっている。この設定を変更することもホップアップ作用を調節する一つの手段である。なお、前方の弾丸に前方の突部３６−１にて１００の摩擦力を付与し得るとすると、後方の弾丸には、３発発射時に後方の突部３６−２にて約３０％の摩擦力が付与され、前方の突部３６−１にて約７０％の摩擦力が付与され、合計では１００となる。また、６発発射時に後方の突部３６−２にて約４０％の摩擦力が付与され、前方の突部３６−１にて約６０％の摩擦力が付与され、合計では１００となる。上記数値は実施形態の条件によるものであり、発射される弾丸の初速（一般に、低速の方が回転が掛かり易い。）や弾丸の重量、冬期と夏期等の条件によっても変化し得る。上記摩擦力の割合は一例であり、実際の設計に際して任意に変更することができる。
【００３３】
突部３６（３６−１、３６−２）の高さを異ならせて設ける方法として、１個の傾斜状の突部３６の前後異なる位置に弾丸Ｂを配置する方法を取り得ることは前述したとおりである。そこでこれを本発明の例２として説明すると、１個の傾斜状の突部３６は弾丸移動方向の前方（下流）で大きく突出し、後方（上流）では小さく突出するように傾斜を設定するものとする（図１０参照）。例２の実施形態における傾斜の度合は前後で一定しているが、また、前後で傾斜を異ならせても良い。他の構成はこれまでに説明した例１と同じで良いので、詳細な説明は省略する。
【００３４】
このように構成されている本発明の作用について、模擬銃の動作と共に説明する。トリガー２０を操作すると、シア２１が回転し、ストライカー２２がバネ２３ａによって付勢されて弁体１５を打撃し、弁体１５が開弁する（図１は開弁直前の状態である。）。ガスは既に気室１６にまで流入しているので、開弁によって弁体１５の外周の孔１６ａから、ガス流路１３の下流Ｄにある流量調整部１７の空間２４、制御弁２７の開口部２７ａ、ガス噴出路２６を通過して装弾部１４ａの全てに噴出し、高圧ガス流が装弾室１４ａに装填されている全ての弾丸Ｂに作用してそれらを発射させることとなる。上記の発射プロセスは、図１０を参照する例２においても全く同様である。
【００３５】
本発明の装置では、弾丸を発射する１本のバレル１４に複数個の弾丸Ｂが装填され、複数個の弾丸Ｂが発射されると、前部の弾丸は突部３６−１に所定の摩擦力で接触し、後部の弾丸は複数個の突部３６（３６−１、３６−２）に接触することによって前部の弾丸と同じ摩擦力を得て、それぞれ一定の回転が付与された状態でバレル１４から発射される。図１０の例２では、複数個の弾丸が傾斜状の突部３６に接触し、突き出し高さの異なる状態で装弾部１４ａに保持されているので、複数個の弾丸は複数個の個別に突起に接触するのと同様の状態となる。即ち、弾丸の発射により前方の突部（２個の場合は３６−１）が弾性変形し、力Ｆ１を受けるとすると、次弾が通過するときに、弾性変形が戻り切らないことの対策として、次弾が後方の突部（２個の場合は３６−２）から最初に受ける力をＦ２とし、２度目に前方の突部（２個の場合の３６−１）から受ける力をｆとして、２回に分けて付与された力Ｆ２＋ｆの合力が前段の受ける力Ｆ１と同じになるように設定する。よって、例１と同様に、複数個の弾丸に対する摩擦力又は摩擦力に基づく弾丸の回転数が個別に管理され、それぞれ一定の回転が付与された状態でバレル１４から発射されるものである。
【００３６】
発射される弾丸Ｂは装弾部１４ａに装填されており、実施形態の場合の装填状態では、３本のバレル１４に各２発ずつ計６発が装填され、それぞれの弾丸Ｂが前後２箇所に設けられた突部３６−１、３６−２に接触した状態で保持されている。これらの弾丸Ｂが発射されるときには、前方の弾丸Ｂには前方の突部３６−１により所定の摩擦力が作用し、後方の弾丸Ｂには後方の突部３６−２と前方の突部３６−１の合計により、前方の弾丸Ｂに対するのと同じ摩擦力が作用する。従って、６発すべての弾丸にほぼ一定の摩擦力を作用させ、ホップアップ作用を付与することができる。  本件出願人における実験は、ガスの圧力を規定範囲内とし、３発発射時の初速８０ｍ／ｓ、６発発射時の初速６８ｍ／ｓ、気温室温の条件において行なわれた。２０メートル前方にある標的に弾丸Ｂを発射したところ、３発発射時及び６発発射時とも平均して直径約２５センチメートルの範囲に着弾することを確認した。この実験は何回繰り返しても変わらず、本発明による弾道修正効果の優れていることが確認された。
【００３７】
前述したように本発明の弾道修正装置では、ホップアップ作用を調節することも可能であるので、これを本発明に係る実施形態の例３として次に説明する。実施形態の例３は図１１以下に示されており、１本のバレル１４から成る例として示されている。弾道修正部材４３は例１と同様に、複数個の弾丸Ｂの上部を覆うことができる長さと、弾丸Ｂの曲面と適合する曲率とを有する円筒の一部として構成され、その内方へ僅かに突き出させて設けた前後２個の突部４４（４４−１、４４−２）を有している（図１２参照）。なお、抵抗軽減のため、上記突部４４（４４−１、４４−２）には小ロール４４ａ、４４ｂが設けられている。
【００３８】
弾道修正部材４３は、バレル後端部と組みあったときに外周固定部４５により接続状態を維持するとともに、その上部の一部に、調節部材４６の内側に設けられた傾斜突部から成る調節子４６−１、４６−２が前後方向へ移動可能に配置される隙間空所４５ａを有している。調節部材４６は、弾道修正部材４３の外周を取り囲むように設けられ、上記空所４５ａの一部に前後方向へ移動可能に配置されるとともに、その可動片に形成された前後方向の長孔４６ａを有し、銃本体側に設けられた軸１１ａにガイドされて前後に移動することで、突部４４−１、４４−２の突き出し高さが調節される（図１１Ｂ参照）。調節部材４６の可動片には小突起４６ｂが設けてあり、これと噛み合うラック歯１１ｂの範囲で前後方向の調節量が決められる。４６ｃは調節レバーであり、銃本体側面のスリット１１ｃから外部に露出させている。
【００３９】
従って、調節レバー４６ｃを前後に移動させることで、傾斜突部から成る調節子４６−１、４６−２が、小ロール４４ａ、４４ｂを介して前後２個の突部４４（４４−１、４４−２）の内方への突出量を変化させ、装弾部１４ａに装填されている弾丸Ｂに対する接触力を変化させることができる。接触力の変化により弾丸Ｂが受ける摩擦力を調節することができ、故に、弾丸に付与される回転量即ちホップアップの調節が行なえるものである。このように、本発明によれば、バレル方向に並設された複数個の突部３６、４４として、バレル方向に実質的に一列に配置し、それらの突き出し高さを、バレル基部側の突部よりも銃口側の突部の方が大きく設定するという構成に基づいて、ホップアップ特性を多様に設定すること及び調節することが可能になる。
【図面の簡単な説明】
【００４０】
【図１】本発明に係る弾道修正装置を適用した複数弾発射型模擬銃の一例を示す断面説明図である。
【図２】同上の装置の要部を示す断面説明図である。
【図３】同じく装置要部と関係部分を示す断面説明図である。
【図４】同じく複数銃身用装弾機構を示すもので、Ａは給弾前の横断面説明図、Ｂは給弾準備を完了した状態の横断面説明図である。
【図５】本発明に係る模擬銃における弾道修正装置を構成する弾道修正部材を上部斜め後方から見た斜視図である。
【図６】同じく弾道修正部材を下部斜め前方から見た斜視図である。
【図７】同じく弾道修正部材の横断面を示す説明図である。
【図８】同じく弾道修正部材について平面Ａ、側面Ｂ、下面Ｃ、左側面Ｄ、右側面Ｅを示す図である。
【図９】同じく弾道修正部材に設ける突部の詳細を示すもので、Ａは縦断面図、Ｂは下面図である。
【図１０】同じく弾道修正部材の例２を示す断面説明図である。
【図１１】同じく弾道修正部材の例３を示すもので、Ａは断面説明図、ＢはＡのＢ−Ｂ線断面図、Ｃは銃本体の部分側面図である。
【図１２】同じく弾道修正部材の例３を示す拡大断面説明図である。
【符号の説明】
【００４１】
Ｂ  弾丸、Ｈ  弾道修正装置
１０  本発明に係る弾道修正装置を適用した複数弾発射型模擬銃
１１  ガス銃本体
１４  バレル
１５  弁体
１７  流量調整部
２０  トリガー
２１  シア
２２  ストライカー
２３  ガイド軸
２４  空間
２５  制御弁装置
２６  ガス噴出路
２７  制御弁
２８  付勢手段
２９  弾丸通路
３０  カートリッジ
３１  給弾室
３２  弾丸規定部材
３３  付勢手段
３４  揺動部材
３５  弾道修正部
３６、４４  突部
３７、４３  弾道修正部材
３８  装弾部上部
３９  弾丸導入部
４０、４５  外周固定部
４１  凹部
４６  調節子
【図１】
2014202432.tif 000003
【図２】
2014202432.tif 000004
【図３】
2014202432.tif 000005
【図４】
2014202432.tif 000006
【図５】
2014202432.tif 000007
【図６】
2014202432.tif 000008
【図７】
2014202432.tif 000009
【図８】
2014202432.tif 000010
【図９】
2014202432.tif 000011
【図１０】
2014202432.tif 000012
【図１１】
2014202432.tif 000013
【図１２】
2014202432.tif 000014